(57)【要約】【課題】異物除去手段に埃等の異物が堆積し、この堆積した異物が異物除去手段から落下することがあっても、この落下した異物を収容することができ、しかも、異物を落下させることなく容易に取除くことができる乾燥機を提供する。【解決手段】被洗濯物を収容して脱水する脱水槽と、吸気口７１ａを有し、該吸気口７１ａから吸気された空気を前記脱水槽内に送風する送風手段７０と、前記吸気口７１ａの入側に配され、前記送風手段７０が吸気する空気中の異物を除去するフィルタ１００と、開閉蓋９２を有し、フィルタ１００により除去された異物を収容する異物収容箱９０と、吸気口を開／閉する可動蓋１０１とを備え、異物収容箱９０が離脱された際に可動蓋１０１を閉側へ移動させる移動制御手段を設け、吸気口７１ａを閉じるようにした。【選択図】図２
2008212561.tif 000002
【特許請求の範囲】
【請求項１】
被洗濯物を収容して脱水する脱水槽と、吸気口を有し、該吸気口から吸気された空気を前記脱水槽内に送風する送風手段と、前記吸気口の入側に配され、前記送風手段が吸気する空気中の異物を除去する異物除去手段と、異物除去手段により除去された異物を収容し、着脱を可能としてある異物収容箱とを備える乾燥機において、前記吸気口を開／閉する可動蓋を備えることを特徴とする乾燥機。
【請求項２】
前記異物収容箱が離脱された際に前記可動蓋を閉側へ移動させ、前記異物収容箱が装着された際に前記可動蓋を開側へ移動させる移動制御手段を備える請求項１記載の乾燥機。
【請求項３】
前記異物収容箱は、内部の異物を取出すための取出孔、及び該取出孔を開／閉する開閉蓋を有する請求項１又は２記載の乾燥機。
【請求項４】
前記異物除去手段は、前記吸気口の縁部に固定されているフィルタである請求項１乃至３のいずれか一つに記載の乾燥機。
【請求項５】
前記異物収容箱は、前記フィルタの異物除去面に接触する平坦面、及び該平坦面を貫通する複数の孔を有する請求項４記載の乾燥機。 
【発明の詳細な説明】
【技術分野】
【０００１】
本発明は被洗濯物を乾燥する乾燥機に関する。
【背景技術】
【０００２】
従来、洗濯機能を備える乾燥機として、被洗濯物を収容する脱水槽と、脱水槽を収容する水槽と、該水槽を収容支持する外箱と、被洗濯物を洗う手段としての攪拌翼と、前記脱水槽内に乾燥用空気を送風する送風手段と、送風手段により送風された空気を加熱する加熱手段と、乾燥用空気中の異物を除去するフィルタを保持し、着脱を可能としてある異物収容箱とを備えたものが知られている（例えば、特許文献１、２参照）。乾燥工程では、送風手段を駆動させて吸気口より外箱の外側又は内側から吸気された乾燥用空気が、加熱手段を通過することにより加熱され、吹出口より水槽内部に送風される。加熱された温風が脱水槽内にて被洗濯物の水分を奪う。この際、攪拌翼の回転により、温風が当たる被洗濯物が随時入れ替わることにより、乾燥工程が進行されていく。
【０００３】
特許文献１の異物収容箱は、送風手段の吸気口に連通する連通路及び該連通路に摺動を可能に配されたフィルタを有し、前記吸気口に連通する吸気路に水平方向へ着脱を自在に配されている。
【０００４】
特許文献２の異物収容箱は、脱水槽内の乾燥用空気が外部に排気される排気路に連通する連通路、該連通路を開／閉する開閉蓋及び該開閉蓋に固定されているフィルタを有し、前記排気路に水平方向へ着脱を自在に配置されている。
このように構成された特許文献１、２の異物収容箱は、乾燥運転の繰返しによりフィルタに埃等の異物が堆積し、この堆積した異物がフィルタから落下することがあっても、この落下した異物を異物収容箱内に収容することができ、また、異物収容箱を水平方向へ離脱することにより、異物収容箱内の異物を取除くことができる。
【特許文献１】特開２００４−３１３２９８号公報
【特許文献２】特開２００５−３４２２９８号公報
【発明の開示】
【発明が解決しようとする課題】
【０００５】
ところが、特許文献１のように送風手段の吸気路に異物収容箱が着脱を自在に配置されている乾燥機、及び特許文献２のように脱水槽内の乾燥用空気が外部に排気される排気路に異物収容箱が着脱を自在に配置されている乾燥機にあっては、乾燥機が使用されていない場合とか、異物収容箱が離脱された後、該異物収容箱が装着されていない場合、前記異物が吸気口から送風手段内に侵入し、送風手段に異物が付着、堆積することになる。このため、送風手段に付着、堆積されている異物が送風手段の排気路から脱水槽内に送られることになり、ひいては脱水槽内の乾燥用空気が汚れることになる。
【０００６】
本発明は斯かる事情に鑑みてなされたものであり、主たる目的は送風手段の吸気口を開／閉する可動蓋を設けることにより、浮遊する異物が多いといった環境で、異物収容箱が装着されていない場合に前記異物が吸気口から送風手段内に侵入するのを防ぐことができる乾燥機を提供することにある。
【０００７】
また、他の目的は異物収容箱が離脱された際に可動蓋を閉側へ移動させ、異物収容箱が装着された際に可動蓋を開側へ移動させる移動制御手段を設けることにより、浮遊する異物が多いといった環境で、異物収容箱が装着されていない場合に異物が送風手段内に侵入するのを自動的に防ぐことができる乾燥機を提供することにある。
【０００８】
また、他の目的は内部の異物を取出すための取出孔、及び該取出孔を開／閉する開閉蓋を異物収容箱に設けることにより、異物収容箱内に収容されている異物を取出孔から容易に取除くことができる乾燥機を提供することにある。
【０００９】
また、他の目的は送風手段の吸気口の縁部にフィルタを固定することにより、フィルタに堆積している異物を掻き落す際に該異物を異物収容箱内に収容することができる乾燥機を提供することにある。
【００１０】
また、他の目的は前記固定されているフィルムの異物除去面に接触する平坦面、及び該平坦面を貫通する複数の孔を異物収容箱に設けることにより、フィルタに堆積している異物を異物収容箱を離脱する際に掻き落すことができる乾燥機を提供することにある。
【課題を解決するための手段】
【００１１】
本発明に係る乾燥機は、被洗濯物を収容して脱水する脱水槽と、吸気口を有し、該吸気口から吸気された空気を前記脱水槽内に送風する送風手段と、前記吸気口の入側に配され、前記送風手段が吸気する空気中の異物を除去する異物除去手段と、異物除去手段により除去された異物を収容し、着脱を可能としてある異物収容箱とを備える乾燥機において、前記吸気口を開／閉する可動蓋を備えることを特徴とする。
【００１２】
この発明にあっては、乾燥機が使用されない場合とか、異物収容箱が離脱される場合に吸気口を閉じることができるため、浮遊する異物が多いといった環境で、異物収容箱が装着されていない場合に前記異物が吸気口から送風手段内に侵入するのを防ぐことができる。
【００１３】
また、本発明に係る乾燥機は、前記異物収容箱が離脱された際に前記可動蓋を閉側へ移動させ、前記異物収容箱が装着された際に前記可動蓋を開側へ移動させる移動制御手段を備えることを特徴とする。
【００１４】
この発明にあっては、異物収容箱が装着された際に可動蓋が吸気口を開放し、異物収容箱が離脱された際に可動蓋が吸気口を自動的に閉じるため、浮遊する異物が多いといった環境で、異物収容箱が装着されていない場合に異物が送風手段内に侵入するのを自動的に防ぐことができる。
【００１５】
また、本発明に係る乾燥機は、前記異物収容箱は、内部の異物を取出すための取出孔、及び該取出孔を開／閉する開閉蓋を有することを特徴とする。
【００１６】
この発明にあっては、開閉蓋を開くことにより、取出孔を開放することができるため、異物収容箱内に収容されている異物を取出孔から容易に取除くことができる。
【００１７】
また、本発明に係る乾燥機は、前記異物除去手段は、前記吸気口の縁部に固定されているフィルタであることを特徴とする。
【００１８】
この発明にあっては、固定のフィルタに堆積している異物を掻き落すことにより、該異物を異物収容箱内に収容することができ、異物の取り除きの作業性を高めるこができる。
【００１９】
また、本発明に係る乾燥機は、前記異物収容箱は、前記フィルタの異物除去面に接触する平坦面、及び該平坦面を貫通する複数の孔を有することを特徴する。
【００２０】
この発明にあっては、異物収容箱を離脱する際に、平坦面がフィルタの異物除去面に接触し、フィルタの異物除去面に堆積している異物を複数の孔の縁で掻き落すことができるため、フィルタに堆積している異物の取り除きを特別に行う必要がなく、異物の取り除きの作業性を高めるこができる。
【発明の効果】
【００２１】
以上詳述したように本発明によれば、浮遊する異物が多いといった環境で、異物収容箱が装着されていない場合に前記異物が吸気口から送風手段内に侵入するのを防ぐことができる。
【００２２】
また、本発明によれば、浮遊する異物が多いといった環境で、異物収容箱が装着されていない場合に異物が送風手段内に侵入するのを自動的に防ぐことができる。
【００２３】
また、本発明によれば、開閉蓋を開くことにより、取出孔を開放することができ、異物収容箱内に収容されている異物を取出孔から容易に取除くことができる。
【００２４】
また、本発明によれば、固定のフィルタに付着している異物を掻き落す際に該異物を異物収容箱内に収容することができ、異物の取り除きの作業性を高めるこができる。
【００２５】
また、本発明によれば、異物収容箱を離脱する際に、フィルタに付着している異物を掻き落すことができ、異物の取り除きの作業性を高めるこができる。
【発明を実施するための最良の形態】
【００２６】
以下本発明をその実施の形態を示す図面に基づいて詳述する。
実施の形態１
図１は洗濯機能を備える本発明に係る乾燥機の一実施例を示す簡略した縦断面図である。
【００２７】
図１に示した洗濯機能を備える乾燥機、詳しくは洗濯乾燥機は、図１において左側が正面、右側が背面である。この洗濯乾燥機は全自動型であり、金属又は合成樹脂製の外箱１０を備えている。外箱１０は、略直方体に成形され、その上下は開放されている。外箱１０の上側開放部には、操作パネル等が装着されている合成樹脂製の上面板１１が雄螺子により固定されており、また、外箱１０の上部内側には後記する水槽２０及び送風手段７０を支持する環状の支持板１２が設けられている。この支持板１２には外箱１０内の空気を送風手段へ導入するための貫通孔１３が開設されている。
【００２８】
洗濯乾燥機の背面側においては、合成樹脂製のバックパネル１４が外箱１０又は上面板１１に雄螺子により固定されており、該バックパネル１４と上面板１１との間に上蓋１５を可動に配置してある。外箱１０の下側開放部には、合成樹脂製の四角形をなすベース１６が雄螺子により固定されている。ベース１６の四隅には、外箱１０を床の上に支えるための脚部１６ａ，１６ｂが設けられている。正面側の脚部１６ａは、レベル出しのために高さ可変とした調整脚であり、背面側の脚部１６ｂはベース１６に一体成形されている固定脚である。
【００２９】
上面板１１には、洗濯乾燥機内に被洗濯物を投入するための被洗濯物投入口１１ａが開設されており、該被洗濯物投入口１１ａを開閉する上蓋１５がバックパネル１４の前端部にヒンジ部１５ａによって垂直面内で回動可能に結合されており、図示の閉じた状態では、上蓋１５が被洗濯物投入口１１ａを上から覆っている。外箱１０の内部には、外側の水槽２０と内側の脱水槽３０とが配置されている。
【００３０】
水槽２０は、支持板１２に複数のサスペンション部材２１によって水平面内で揺動可能に吊下げ支持されている。また、脱水槽３０は、水槽２０の内側において水槽２０と同心状に配設されており、洗濯槽を兼ねている。水槽２０と脱水槽３０とは、両者とも上が開口した円筒形のカップの形状をなしており、各々の軸線が鉛直方向となっている。
【００３１】
脱水槽３０は、上方に向かうに従って緩やかに広がるテーパー形状の周壁を有している。この周壁には、その最上部に環状に配置された複数個の脱水孔３１を除き、液体を通すための開口部は形成されておらず、脱水槽３０は、いわゆる「孔無し」タイプである。脱水槽３０の上側開放部の縁には、環状のバランサ３２が装着されている。バランサ３２は、被洗濯物の脱水のために脱水槽３０を高速回転させたときに、その振動を抑制する働きをする。脱水槽３０の内部底面には、槽内で洗濯水又は濯ぎ水の流動を生じさせるための攪拌翼３３が配置されている。
【００３２】
水槽２０の上端部にはフランジ部２２が内向きに延出されており、該フランジ部２２に、排気フィルタ２３を有する内蓋２４がヒンジ２４ａによって回動可能に取付けられている。内蓋２４は、洗擢・濯ぎ・脱水時に、被洗濯物や水が脱水槽３０から外に飛び出すのを防止している。
【００３３】
水槽２０の下部には、駆動ユニット４０が装着されている。駆動ユニット４０は、電動モータ４１、該電動モータ４１の出力回転を伝動するベルト伝動機構４２及びクラッチ・ブレーキ機構４３とを備えており、その中心部から筒形の脱水軸４４と攪拌翼軸４５とが上向きに突出している。
【００３４】
脱水軸４４と攪拌翼軸４５とは、脱水軸４４が外側に配置され、攪拌翼軸４５が内側に配置された二重軸構造となっている。脱水軸４４は、下方から上方に向かって水槽２０の中に入り込んだ後、脱水槽３０に連結され、脱水槽３０を支えている。攪拌翼軸４５は、下方から上方に向かって水槽２０を貫いて更に脱水槽３０の中に入り込み、攪拌翼３３に連結され、攪拌翼３３を支えている。攪拌翼３３は、５５〜３００ｒｐｍの回転を行い、洗濯又は濯ぎを行う。脱水時には脱水槽３０と一緒に０〜１０００ｒｐｍで回転し、脱水を行う。脱水軸４４と水槽２０との間、及び脱水軸４４と攪拌翼軸４５の間には、各々、水漏れを防ぐためのシール部材が配置されている。
【００３５】
支持板１２とバックパネル１４との間には空間があり、この空間に、電磁的に開閉する給水弁（図示せず）が配置されている。給水弁に接続され且つバックパネル１４を上下に貫通して上方に突きだす接続管５０には、水道水などの上水を供給する給水ホースが接続される。また、前記給水弁は、脱水槽３０内に臨む位置に配置された容器状の給水口に接続されている。
【００３６】
水槽２０の底部には、水槽２０及び脱水槽３０内の水を外箱１０の外部に排水する排水ホース６０が取付けられている。排水ホース６０には、水槽２０及び脱水槽３０の底部に連通する排水口６１から水が流入する。脱水時に脱水槽３０から流出した水は、図示しない排水管を通じて排水ホース６０から排水される。
【００３７】
脱水槽３０には排水孔６２が円周上に４箇所設けてあり、各排水孔６２は脱水槽３０内の水を排水口６１から電磁的に開閉する排水弁６３に導入する。
【００３８】
上記した構成により、回転翼３３が回転する洗濯時には、脱水槽３０内の水は排水弁６３により止水され、脱水槽３０内に貯水される。脱水を行う際には排水弁６３が開放され、脱水槽３０内の水は外部に排水される。この際、脱水軸４４及び撹拌翼軸４５と脱水槽３０とが電動モータ４１により回転するが、脱水軸４４及び撹拌翼軸４５は相対回転が自在で且つ水密構造を維持する。
【００３９】
外箱１０の正面側には、制御部５１が配置されている。制御部５１は、上面板１１の下側に配置されており、上面板１１の上面に設けられている操作／表示部（図示せず）を通じて使用者からの操作指令を受け、駆動ユニット４０、給水弁及び排水弁６３に動作指令を発する。また、制御部５１は、操作／表示部に表示指令信号を発する。
【００４０】
図２は乾燥機の要部の構成を示す簡略した断面図である。外箱１０の支持板１２とバックパネル１４との間の空間には被洗濯物の乾燥を行うための送風手段７０と、加熱手段８０と、異物除去手段としてのフィルタ１００と、異物収容箱９０とが設けられている。
【００４１】
送風手段７０は、吸気口７１ａ及び排気口７１ｂを有する送風箱７１と、電動モータ７２により駆動され、送風箱７１内に回転軸が上下となるように配設されている送風ファン７３とを有する。
【００４２】
送風箱７１は、下向きに開放された有底の円筒部と、該円筒部の周方向一側に連なる湾曲したダクト７１ｃとを有し、下側の開放部を吸気口７１ａとし、上壁の外部に電動モータ７２を支持し、支持板１２の上側に離隔して配置してあり、吸気口７１ａが支持板１２と対向している。
【００４３】
吸気口７１ａは支持板１２に開設されている貫通孔１３及び外箱１０の背面に開設されている開放部１７に連通している。ダクト７１ｃ内の排気路には送風ファン７３により送風される空気を加熱する加熱手段８０としてのヒータを配置してある。また、一端が脱水槽３０内に臨む蛇腹管７４の他端がダクト７１ｃの先端に接続されている。蛇腹管７４の一端はフランジ部２２に開設されている嵌合孔に嵌入されている。
【００４４】
送風ファン７３により送風された空気は、加熱手段８０を通る際に加熱されて８０℃程度の温風になる。温風は、蛇腹管７４から水槽２０内に送気され、該温風が水槽２０内にて被洗濯物の水分を奪う。この際、攪拌翼３３が回転され、温風が当たる被洗濯物を随時入替え、満遍なく被洗濯物に温風が行き渡るようになしてある。湿気を含んだ温風は排気フィルタ２３から水槽２０の外部へ排気され、これにより乾燥が進行する。
【００４５】
送風手段７０を支持する支持板１２には、横方向に離隔して対向し、異物収容箱９０の前方への移動を案内する二つの案内部を設けてあり、該案内部の途中に、異物収容箱９０を吸気口７１ａと対向する位置に係止する凹状の係止部を設けてある。
【００４６】
異物除去手段としてのフィルタ１００は吸気口７１ａから送風箱７１内に埃等の異物が入るのを防止するものであり、また、異物収容箱９０はフィルタ１００が除去した異物を収容するものであり、該異物収容箱９０にフィルタ１００を取付けてあり、送風手段７０の吸気路に異物収容箱９０を配してある。
【００４７】
図３は異物収容箱９０の構成を示す斜視図、図４は異物収容箱９０の開閉蓋を開放した状態を示す斜視図である。異物収容箱９０は上側に取出孔９１及び該取出孔９１を開閉する開閉蓋９２を有し、一側に複数の導気口９３を有する略直方形をなし、底面が導気口９３側から取出孔９１の一縁に亘って湾曲し、導気口９３から内部の通気路９４に導入した空気を取出孔９１へスムーズに流通させるようになしてある。導気口９３は一列に離隔して開設されている。また、異物収容箱９０の両側部には支持板１２の前記二つの案内部に係合して横方向への移動が案内される凸状の被案内部が設けられており、前記係止部に係合する凸状の被係止部が被案内部に設けられている。
【００４８】
開閉蓋９２は取出孔９１の一縁部にヒンジにより連結されている。この開閉蓋９２は複数の貫通孔９２ａ及び指掛凹部９２ｂを有し、貫通孔９２ａ部にフィルタ１００が取付けられている。
【００４９】
このように構成された異物収容箱９０は、図２に示すようにフィルタ１００が吸気口７１ａと対向するように支持板１２に移動を可能に支持される。支持板１２は異物収容箱９０を前方への移動を可能に支持しており、該異物収容箱９０が吸気口７１ａと対向する装着位置から吸気口７１ａと前方へ離隔する離脱側（前方）へ移動したとき、前方へ移動して吸気口７１ａを閉じる可動蓋１０１を外箱１０の内側に設けてある。
【００５０】
可動蓋１０１は、吸気口７１ａと対向する閉位置及び吸気口７１ａを開放する開位置への移動が可能であり、該可動蓋１０１を閉位置へ付勢する付勢ばね１０２が可動蓋１０１と外箱１０との間に設けられている。付勢ばね１０２は異物収容箱９０が前方へ離脱された際に可動蓋１０１を閉位置へ移動させ、異物収容箱９０が吸気口７１ａと対向する位置に装着される際の装着力が可動蓋１０１に加わることにより弾性復元するするもので、移動制御手段を構成している。
【００５１】
以上のように構成された洗濯乾燥機は、乾燥運転時、送風ファン７３が回転されると、送風箱７１内に図２の（ａ）の方向に空気が吸気される。これに伴い送風手段７０は開放部１７から外気を矢印ｂ方向へ導入し、貫通孔１３から内気を矢印ｃ方向へ導入する。この空気は異物収容箱９０の導気口９３から異物収容箱９０内、及びフィルタ１００を経て吸気口７１ａへ吸気される。この際、吸気する空気に含まれている埃等の異物は、フィルタ１００を通過する際に除去され、フィルタ１００の下面（入側面）に付着、堆積する。また、空気が異物収容箱９０内に導入される際、異物収容箱９０の底面は導気口９３側からフィルタ１００側へ湾曲しているため、吸気口７１ａへの吸気をスムーズにできる。
【００５２】
フィルタ１００に堆積した異物は運転中の振動等で異物収容箱９０内に落下し、該異物収容箱９０内に収容される。異物収容箱９０の空気導入側には比較的小形の複数の導気口９３が設けられているため、運転中の振動や、フィルタ１００の着脱による振動により異物の塊が異物収容箱９０外に落下することはない。
【００５３】
図５は異物収容箱９０を離脱した際の要部の構成を示す簡略した断面図である。異物がフィルタ１００に堆積した際、異物収容箱９０を前方（横方向）へ引張って移動させ、吸気口７１ａの下側から外部へ離脱させる。この異物収容箱９０には開閉蓋９２が設けられており、該開閉蓋９２にフィルタ１００が設けられているため、フィルタ１００を特別に取り出すことなく、開閉蓋９２を開放することにより、フィルタ１００及び異物収容箱９０内を容易に掃除することができる。また、異物収容箱９０を前方へ移動させるとき、付勢ばね１０２により付勢されている可動蓋１０１が閉位置へ移動し、吸気口７１ａを閉じるため、ユーザが異物収容箱９０の装着を誤って忘れた際には、送風手段７０は吸気口７１ａが閉じられているため、温風を脱水槽３０内に送気することができない。この際、加熱手段８０のヒータに通電されが、これを制御部５１で検知することで、異物収容箱９０が装着されていないことをユーザに報知することができる。
【００５４】
また、万が一制御部５１が暴走する、異物収容箱９０が取付けられていない、送風ファン７３が回転しているという悪状況が重なったとしても、可動蓋１０１が吸気口７１ａを閉じているため、ユーザの手が回転する送風ファン７３に触れる危険がない。
【００５５】
実施の形態２
図６は乾燥機の他の構成を示す要部の簡略した断面図、図７は異物収容箱を離脱した状態を示す簡略した断面図、図８は異物収容箱の斜視図、図９は異物収容箱の開閉蓋の拡大した断面図である。この洗濯機能を備える乾燥機は異物収容箱９０にフィルタ１００を取付ける構成とする代わりに、フィルタ１００を送風箱７１の吸気口７１ａの縁部に固定し、異物収容箱９０を横方向へ移動させて離脱させる際、フィルタ１００の入側面に堆積している異物を異物収容箱９０内へ掻き落すように構成したものである。
【００５６】
異物収容箱９０は、フィルタ１００と対向する上面をフィルタ１００の入側面（異物除去面）に接触する平坦面とし、該平坦面に、上下に貫通する複数の孔９５を設けてある。
【００５７】
この乾燥機にあっては、孔９５を有する平坦面がフィルタ１００の入側面と接触するように異物収容箱９０が吸気口７１ａの下側に装着される。フィルタ１００に堆積した異物を除去すべく異物収容箱９０を横方向へ引張って移動させる際、フィルタ１００の入側面に堆積している異物を、平坦面に開設されている複数の孔９５の縁により掻き落すことができ、この掻き落した異物を孔９５から異物収容箱９０内に収容することができる。このようにフィルタ１００に堆積した異物を異物収容箱９０の移動により掻き落すことができるため、フィルタ１００に堆積している異物の取り除きを特別に行う必要がなく、異物の取り除きの作業性を高めるこができる。しかも、いかなる場合にもユーザは回転する送風ファン７３に手が触れる危険がない。
その他の構成及び作用は実施の形態１と同様であるため、同様の部品については同じ符号を付し、その詳細な説明及び作用効果の説明を省略する。
【００５８】
尚、以上説明した実施の形態では洗濯機能を備える乾燥機について説明したが、その他、洗濯機能がなく、乾燥専用の乾燥機であってもよい。
【００５９】
また、以上説明した実施の形態では送風手段７０の吸気路にフィルタ１００及び異物収容箱９０を配置し、吸気される空気が異物収容箱９０内を流通するように構成したが、その他、異物収容箱９０は送風ファン７３及び吸気路の下側に配置し、フィルタ１００と異物収容箱９０とを個別に取外すことができるように構成してもよい。
【００６０】
また、以上説明した実施の形態では、フィルタ１００を吸気口７１ａの縁部に固定し、フィルタ１００に堆積した異物を異物収容箱９０が掻き落すように構成したが、その他、フィルタ１００と異物収容箱９０との間に可動スクレーパを設け、該スクレーパを移動させることによりフィルタ１００に堆積している異物を掻き落し、異物収容箱９０内に収容するように構成してもよい。
【００６１】
また、以上説明した実施の形態では、送風手段７０の送風路に加熱手段としてのヒータ８０を配置したが、その他、加熱手段は送風手段７０の吸気路に配置してもよい。また、加熱手段は必ずしも必要でない。
【図面の簡単な説明】
【００６２】
【図１】洗濯機能を備える本発明に係る乾燥機の一実施例を示す簡略した縦断面図である。
【図２】本発明に係る乾燥機の要部の構成を示す簡略した断面図である。
【図３】本発明に係る乾燥機の異物収容箱の構成を示す斜視図である。
【図４】本発明に係る乾燥機の異物収容箱の開閉蓋を開放した状態を示す斜視図である。
【図５】本発明に係る乾燥機の異物収容箱を離脱した際の要部の構成を示す簡略した断面図である。
【図６】本発明に係る乾燥機の他の構成を示す要部の簡略した断面図である。
【図７】本発明に係る乾燥機の異物収容箱を離脱した状態を示す簡略した断面図である。
【図８】本発明に係る乾燥機の異物収容箱の斜視図である。
【図９】本発明に係る乾燥機の異物収容箱の開閉蓋の拡大した断面図である。
【符号の説明】
【００６３】
２０  脱水槽
７０  送風手段
７１ａ  吸気口
９０  異物収容箱
９２  開閉蓋
９３  導気孔
９４  通気路
９５  孔
１０１  可動蓋
１００  フィルタ（異物除去手段）
【図１】
2008212561.tif 000003
【図２】
2008212561.tif 000004
【図３】
2008212561.tif 000005
【図４】
2008212561.tif 000006
【図５】
2008212561.tif 000007
【図６】
2008212561.tif 000008
【図７】
2008212561.tif 000009
【図８】
2008212561.tif 000010
【図９】
2008212561.tif 000011